(57)【要約】【課題】簡単な構成で、使用時には周囲と十分に遮蔽されることにより集中して使用することのできる、新規かつ改良されたパーテーションを提供する。【解決手段】卓上の空間を間仕切るパーテーション１００であって、正面板１１０、左右面板１２０ａ、１２０ｂ及び天井面板１３０を有し、左右面板１２０ａ、１２０ｂの開口側の下端には、卓の前面に係止可能な係止部１２０ｃ、１２０ｄが下方に突出して形成されており、卓の奥方向への移動が規制されている。かかる構成によれば、正面、左右面に加えて天井面により、周囲から十分に遮蔽された空間を提供することができる。特に、係止部が卓に係止されることにより、パーテーションの位置ずれを防止することができる。特に、係止部は卓の前面に係止されるため、奥行方向の位置ずれを効果的に防止することができる。【選択図】図１
0003234956.tif 000002
【実用新案登録請求の範囲】
【請求項１】
卓上の空間を間仕切るパーテーションであって、
正面、左右面及び天井面を有し、
前記左右面の開口側の下端には、前記卓の前面に係止可能な係止部が下方に突出して形成されており、前記卓の奥方向への移動が規制されていることを特徴とする、パーテーション。
【請求項２】
折り畳み可能であることを特徴とする、請求項１に記載のパーテーション。
【請求項３】
前記正面、前記左右面及び前記天井面は、半透明の素材からなることを特徴とする、請求項１又は２に記載のパーテーション。
【考案の詳細な説明】
【技術分野】
【０００１】
本考案は、机に設置して使用者と周囲との遮蔽を行うパーテーションに関する。
【背景技術】
【０００２】
従来、事務机や学習机などに、使用者の周囲を囲むように設置するパーテーションが知られている。
【０００３】
従来のパーテーションの一例として、実用新案登録第３２２９３６０号公報（特許文献１）に示されるパーテーションがある。同文献に示されるパーテーションは、薄板状の仕切り体からなる卓上パーテーションであって、仕切り体の左右方向の一端部及び他端部に、非使用時には左右方向中央側に折り畳んだ状態にするとともに、使用時には厚さ方向に互いに逆向きに折り曲げた状態にすることにより卓上に自立させて設置できる折り畳み部を有する。このような構成により、折り畳み及び机上への設置が可能となる。
【０００４】
また従来のパーテーションの別の例として、近年のリモートワークの推進などにより自宅で仕事をするスペースを確保するため、半個室型のワークスペースを提供できるパーテーションも提案されている。例えば特許６８６６９５５号公報（特許文献２）に示されるパーテーションがある。同文献に示されるパーテーションは、天井と床との間に取り外し可能に設けられる一対の支持部材と、この支持部材間に固定された前面板と、前面板に回動可能に取り付けられ前面板との接続部分を軸として上下方向に回動可能なテーブル板とを備えている。さらに、テーブル板を挟んで支持部材それぞれに個別に設けられ、支持部材との接続部分を軸として開閉可能な一対の扉を備えている。
【先行技術文献】
【特許文献】
【０００５】
【特許文献１】実用新案登録第３２２９３６０号公報
【特許文献２】特許第６８６６９５５号公報
【考案の概要】
【考案が解決しようとする課題】
【０００６】
特許文献１記載のパーテーションは、折り畳んで容易に運搬することが可能であり、必要なときに容易に設置することができる。また、非使用時には折り畳んで収納することができる。
【０００７】
ここで、特許文献１記載のようなパーテーションを仕事あるいは学習に利用しようとする場合を考える。特許文献１記載のようなパーテーションは、利用者の正面及び左右を遮蔽するものであるが、これでは天井部分が遮蔽されておらず、周囲からの遮蔽が不十分である。したがって、集中して仕事あるいは学習したい利用者にとって、十分集中できない場合がある。
【０００８】
また、特許文献１記載のようなパーテーションは単に机上に置かれるだけのものであるため、容易に位置が変動してしまい、これも利用者の集中を妨げる要因になってしまうおそれがある。
【０００９】
また特許文献２記載のようなパーテーションも、利用者の正面及び左右を遮蔽するものであるが、これも天井部分が遮蔽されておらず、周囲からの遮蔽が不十分である。さらに、この特許文献２記載のパーテーションは前面板、両側部に位置する一対の扉と共にテーブル板を有しており、構造が大掛かりであるのに加えて既存の机に対して設置できるものではない。
【００１０】
そこで本考案は、このような問題に鑑みてなされたものであり、その目的とするところは、簡単な構成で、使用時には周囲と十分に遮蔽されることにより集中して使用することができ位置ずれを防止できる新規かつ改良されたパーテーションを提供することにある。
【課題を解決するための手段】
【００１１】
上記課題を解決するために、本考案によれば、卓上の空間を間仕切るパーテーションであって、正面、左右面及び天井面を有し、左右面の開口側の下端には卓の前面に係止可能な係止部が下方に突出して形成されており、卓の奥方向への移動が規制されていることを特徴とするパーテーションが提供される。
【００１２】
かかる構成によれば、正面、左右面に加えて天井面により、周囲から十分に遮蔽された空間を提供することができる。また、係止部が卓に係止されることにより、パーテーションの位置ずれを防止することができる。特に、係止部は卓の前面に係止されるため、奥行方向の位置ずれを効果的に防止することができる。なお、係止部の摩擦等によって、卓の左右方向への移動も一定程度防止される。
【００１３】
本考案は様々な応用が可能である。以下の応用例は適宜組み合わせることが可能である。
【００１４】
例えば、正面と左右面の各々の接続部分、さらに正面と天井面との接続部分はヒンジ構造であり、パーテーションが折り畳み可能であってもよい。これにより非使用時には折り畳んで収納することができる。
【００１５】
正面、左右面及び天井面は、半透明の素材から構成されていてもよい。これにより透光性が確保され、周囲からの遮蔽と内部の明るさとを両立させることができる。
【考案の効果】
【００１６】
本考案によれば、簡単な構成で、周囲から十分に遮蔽された空間を提供することができるパーテーションを提供することができる。本考案のその他の効果については、後述する考案を実施するための形態においても説明する。
【図面の簡単な説明】
【００１７】
【図１】第１の実施形態のパーテーション１００を示す斜視図である。
【図２】第１の実施形態のパーテーション１００の組み立て途中の状態を示す展開図である。
【図３】第２の実施形態のパーテーション２００を示す斜視図である。
【考案を実施するための形態】
【００１８】
以下に図面を参照しながら、本考案の好適な実施形態について詳細に説明する。なお、本明細書及び図面において、実質的に同一の機能構成を有する構成要素については、同一の符号を付することにより重複説明を省略する。
【００１９】
（第１の実施形態）
第１の実施形態に係るパーテーション１００について、図１及び図２を参照しながら説明する。図１は、第１の実施形態のパーテーション１００を示す斜視図である。図２は、第１の実施形態のパーテーション１００の組み立て途中の状態を示す展開図である。なお、本実施形態では、パーテーション１００を一人用の机に用いる例について説明する。特に、新ＪＩＳ規格に対応したサイズの机を想定して説明する。ただし本考案はこれに限定されず、複数人が囲んで座る机や卓などに用いてもよい。
【００２０】
本実施形態のパーテーション１００は、図１及び図２に示したように、正面板１１０、左面板１２０ａ、右面板１２０ｂ、及び天井面板１３０を有する。正面板１１０、左面板１２０ａ、右面板１２０ｂは、机の天板ＴＰより垂直に立ち上がる面として、内部の空間を外部から遮蔽する機能を果たす。利用者は、左面板１２０ａと右面板１２０ｂとの間の空間を作業スペースとして利用する。なお、ここで利用者は図１の右方向から左方向に向けて、机に向かって座る姿勢をとる。
【００２１】
上記で正面板１１０、左面板１２０ａ、及び右面板１２０ｂと表記したが、これは、利用者が図１の右方向から左方向に向けて座った場合、正面板１１０が利用者の正面に正対し、左面板１２０ａは利用者の左側に、一方で右面板１２０ｂは利用者の右側に位置することになるためである。
【００２２】
（開口部１４０）
その一方で、利用者が座る位置には天井面板１３０と左面板１２０ａ及び右面板１２０ｂにより上方向及び左右方向を遮蔽される開口部１４０が形成される。
【００２３】
（天井面板１３０の支持）
天井面板１３０には、その左にフラップ１３０ａが、その右にフラップ１３０ｂが形成されている。これらフラップ１３０ａ及びフラップ１３０ｂは、図１に示したように、本実施例のパーテーション１００が組み立てられて使用状態にされた際には下方向に９０度、それぞれ左面板１２０ａ及び右面板１２０ｂの外側に接するように折り曲げられる。この結果、折り曲げられたフラップ１３０ａ及びフラップ１３０ｂが、それぞれ左面板１２０ａ及び右面板１２０ｂの上辺にて支持されることになる。したがって、天井面板１３０が水平に固定される。
【００２４】
（ヒンジ構造）
これら正面板１１０、左面板１２０ａ、右面板１２０ｂ、及び天井面板１３０は、一体に形成されていてもよい。あるいは、これらが別々の板材で形成され、それぞれが接合するための部材によって接合される構成であってもよい。本実施形態では、パーテーション１００が折り畳まれることを可能とするため、それぞれの板が相互間の角度を変えられるような構成を有する必要がある（ここではヒンジ構造と称する）。前者のような構成であれば、それぞれの間には折り畳みのための折り線ＬＮが設けられていて、折り畳みを可能とする構成であればよい。また後者のような構成であれば、それぞれの板を接合する部材は、折り畳みのためのヒンジ機能を有していればよい。また天井面板１３０とフラップ１３０ａ及びフラップ１３０ｂについても、それぞれの間にヒンジ構造を有しているとよい。
【００２５】
（係止部１２０ｃ及び１２０ｄ）
左面板１２０ａ及び右面板１２０ｂに関し、図１に示したように、それぞれ開口部側の下端には係止部１２０ｃ及び１２０ｄが、下方に突出するように形成されている。これら係止部１２０ｃ及び１２０ｄは、机の天板ＴＰの端部に係止される。この結果、左面板１２０ａ及び右面板１２０ｂはそれぞれ、机から利用者に向けて突出して配置されることになる。したがって、利用者の左右について、左面板１２０ａ及び右面板１２０ｂの奥行き方向（図１における左右方向の長さ）をより長くとることができる。
【００２６】
また、この係止部１２０ｃ及び１２０ｄが机の天板ＴＰの端部に係止されることにより、本実施形態のパーテーション１００を机に置いた際に、パーテーション１００が机の天板ＴＰの上でずれ動くことを抑止することができる。
【００２７】
本実施形態のパーテーション１００は、半透明の素材で作られていることが望ましい。素材としては、例えば硬質プラスチック、プラスチックダンボールなどを用いることができる。これにより、外部から内部が見えるのを防止すると共に、外部の光をパーテーション１００内部まで届かせることができ、内外の空間の遮断と、内部の明るさの確保とを両立することができる。なお、パーテーション１００の素材は、これ以外にも適切なものを用いることができる。
【００２８】
本実施形態のパーテーション１００を学校における児童、生徒の学習に用いる場合には、左面板１２０ａ及び右面板１２０ｂの机上における奥行きを、学校の机の大きさを規定する規格で規定されている奥行きと対応させることが好適である。これにより、机の奥行きを最大限に活用することができる。
【００２９】
（組み立て動作）
以下、特に図２を用いて、本実施形態のパーテーション１００を組み立てる動作について説明する。図２は、正面板１１０を中心に配置し、その上辺に接続される天井面板１３０、左辺に接続される左面板１２０ａ及び右辺に接続される右面板１２０ｂが、それぞれ図２の奥方向から手前方向に起立してくる状態を示している。すなわち、図１に示すパーテーション１００の組み立て途中の状態を示している。
【００３０】
図２に示すように、正面板１１０に接続される左面板１２０ａ及び右面板１２０ｂを正面板１１０に対して直角に起こし、次に正面板１１０に接続される天井面板１３０を正面板１１０に対して直角に起こす。さらに、天井面板１３０に接続されるフラップ１３０ａ及びフラップ１３０ｂを天井面板１３０に対して直角に下方に折り、左面板１２０ａ及び右面板１２０ｂの外側に垂れ下がるようにすればよい。このとき、フラップ１３０ａ及びフラップ１３０ｂそれぞれと、左面板１２０ａ及び右面板１２０ｂとを面ファスナーで接合、固定するようにするのが好適である。これにより天井面板１３０を左面板１２０ａ及び右面板１２０ｂに固定し、パーテーション１００の機械的強度を確保することができる。なお、この固定は面ファスナーによるものに限らない。例えばスナップボタンや、その他の方法によっても固定することができる。
【００３１】
（折り畳み動作）
一方、本実施形態のパーテーション１００は、非使用時には折りたたむことが可能である。その場合には、図２に示す状態から、天井面板１３０、左面板１２０ａ及び右面板１２０ｂを、それぞれ図２の手前方向から奥方向に折り畳めばよい。ここで、正面板１１０と、左面板１２０ａ及び右面板１２０ｂそれぞれにも面ファスナーを配置しておくことが好適である。これにより、正面板１１０と、左面板１２０ａ及び右面板１２０ｂを折り畳んだときに、これらの板を面ファスナーで接合、固定することができる。この結果、折り畳んだパーテーションの各板が固定され、不用意に開いたりすることがなく収納の際に都合がよい。なお、この折り畳み方は一例に過ぎず、任意の方法で折り畳むことができる。面ファスナーも必要最小限設ければよい。
【００３２】
（第１の実施形態の効果）
以上説明したように、本実施形態によれば、正面板１１０、左右面板１２０ａ、１２０ｂ及び天井面板１３０を有するパーテーション１００が提供される。正面板１１０及び左右面板１２０ａ、１２０ｂは机の天板ＴＰから垂直に立ち上がる面を提供し、天井面板１３０は水平に配置され、これらにより外部から内部の空間を遮蔽している。このような構成により使用者を覆い、使用者が個室にいるような、囲われる安心感を提供することができる。
【００３３】
両側面下部に突起して形成される係止部１２０ｃ、１２０ｄにより、利用者の左右について、左右面板１２０ａ、１２０ｂをより長くとることができる。このため、利用者をより長く側面で覆い隠すことが可能となり、より個室感を作り出すことができる。
【００３４】
また、この係止部１２０ｃ、１２０ｄが机の天板ＴＰの端部に係止されることにより、本実施形態のパーテーション１００を机の天板ＴＰに置いた際に、パーテーション１００が机の天板ＴＰの上でずれ動くことを抑止することができる。
【００３５】
パーテーション１００の素材として硬質プラスチックやプラスチックダンボールなど、比較的安価なものを使用している。このため、手頃な価格でパーテーション１００を提供することができる。
【００３６】
本実施形態のパーテーション１００を用いることにより、仕事や学習などの作業中に、個室に入ったような精神的な安心感を与え、集中力を高めることが可能となる。また周りの視覚情報によって注意力が阻害されることを防ぐことができる。これにより、作業パフォーマンスを向上させることができる。なかなか学習に集中できない子供に対応する教員や親の負担を軽減させることも可能である。
【００３７】
本実施形態のパーテーション１００は、折り畳むことにより省スペースで収納することが可能である。したがって、比較的広いスペースが必要な、特許文献２に記載されるような簡易個室タイプのパーテーションの設置が難しい場合でも導入しやすい。
【００３８】
本実施形態におけるパーテーション１００は、学校において、支援教育や試験の際に使うと有効である。また家庭や塾において、子供が家庭学習や自習をする際に一時的に机の天板ＴＰやテーブルに設置するという使い方も有効である。さらに、職場において、一人で行う作業に集中したいときに使うことも有効である。その他、集中して作業を行いたいときなどに使うことが有効である。
【００３９】
（第２の実施形態）
次に、第２の実施形態に係るパーテーション２００について、図３を参照しながら説明する。図３は、第２の実施形態のパーテーション２００を示す斜視図である。
【００４０】
（パーテーション２００の構成）
本実施形態のパーテーション２００は、図３に示したように、正面板２１０、左面板２２０ａ、右面板２２０ｂ、及び天井面板２３０を有する。正面板２１０、左面板２２０ａ、右面板２２０ｂは、床面より垂直に立ち上がる面として、内部の空間を外部から遮蔽する機能を果たす。また天井面板２３０は、正面板２１０、左面板２２０ａ、右面板２２０ｂの上辺に接続され、水平に配置される。この天井面板２３０も他の面と共に、内部の空間を外部から遮蔽する機能を果たす。
【００４１】
（ゲート板）
左面板２２０ａ、右面板２２０ｂ、及び天井面板２３０に関し、正面板２１０と反対側にはゲート板２５０が取り付けられている。このゲート板２５０は略コの字形であり、左面板２２０ａ、右面板２２０ｂ、及び天井面板２３０の端部に接合されている。また、このゲート板２５０により開口部２４０が形成される。このゲート板２５０を設けることにより、パーテーション２００の内部が見えないよう遮蔽の機能を果たすとともに、構造的な補強の機能も果たす。
【００４２】
本実施形態のパーテーション２００は、開口部２４０から内部に机ＤＫを運び入れることにより、作業スペースとして利用することができる。利用者は、開口部２４０からパーテーション２００に出入りする。そして左面板２２０ａと右面板２２０ｂとの間の空間を作業スペースとして利用する。
【００４３】
本実施形態のパーテーション２００も、半透明の素材で作られていることが望ましい。素材としては、例えば硬質プラスチック、プラスチックダンボールなどを用いることができる。これにより、外部から内部が見えるのを防止すると共に、外部の光をパーテーション２００の内部まで届かせることができ、内外の空間の遮断と、内部の明るさの確保とを両立することができる。なお、パーテーション２００の素材は、これ以外にも適切なものを用いることができる。このような素材を用いることにより、パーテーション２００を安価にて構成することができる。このため、一般家庭などでも導入がしやすい。
【００４４】
（第２の実施形態の効果）
以上説明したように、本実施形態によれば、正面板２１０、左右面板２２０ａ、２２０ｂ及び天井面板２３０を有するパーテーション２００が提供される。正面板２１０及び左右面板２２０ａ、２２０ｂは床面から垂直に立ち上がる面を提供し、天井面板２３０は水平に配置され、これらにより外部から内部の空間を遮蔽している。このような構成により使用者を覆い、使用者が個室にいるような、囲われる安心感を提供することができる。
【００４５】
パーテーション２００の素材として硬質プラスチックやプラスチックダンボールなど、比較的安価なものを使用している。このため、手頃な価格でパーテーション２００を提供することができる。また、既存の机ＤＫを内部に運び入れて周囲を遮蔽するものであり、構成が簡易であるため、この点でも安価に提供することができる。
【００４６】
本実施形態のパーテーション２００を用いることにより、仕事や学習などの作業中に、個室に入ったような精神的な安心感を与え、集中力を高めることが可能となる。また周りの視覚情報によって注意力が阻害されることを防ぐことができる。これにより、作業パフォーマンスを向上させることができる。なかなか学習に集中できない子供に対応する教員や親の負担を軽減させることも可能である。
【００４７】
本実施形態におけるパーテーション２００は、学校において、支援教育や試験の際に使うと有効である。また家庭や塾において、子供が家庭学習や自習をする際に一時的に机ＤＫやテーブルに設置するという使い方も有効である。さらに、職場において、一人で行う作業に集中したいときに使うことも有効である。その他、集中して作業を行いたいときなどに使うことが有効である。
【００４８】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００４９】
以上説明した実施形態・応用例・変形例等は、適宜組み合わせて実施することができる。
【符号の説明】
【００５０】
１００、２００  パーテーション
１１０、２１０  正面板
１２０ａ、２２０ａ  左面板
１２０ｂ、２２０ｂ  右面板
１２０ｃ、１２０ｄ  係止部
１３０、２３０  天井面板
１４０、２４０  開口部
２５０  ゲート板
１４０、２４０  開口部
ＬＮ  折り線
ＴＰ  机の天板
ＤＫ  机
【図１】
0003234956.tif 000003
【図２】
0003234956.tif 000004
【図３】
0003234956.tif 000005